(57)【要約】【課題】プリペイドシステムを採用した流量計測装置において、ＩＣカード  （プリペイドカード）不正使用を防止することを目的とする。【解決手段】ＩＣカード読み取り部１６により、ＩＣカード３００内の記憶媒体に記憶している認証データとガスメータ装置１００固有の認証データとが一致するか否かを読み取ったデータから、ＩＣカードが有効か、無効、かを判定するＩＣカード認証部１７により、ＩＣカードデータの認証を行い、さらに、ＩＣカード読み取り部１６により記憶媒体から読み取ったデータを、全ビット読み取り終了後に記憶媒体の流体使用量を全ビット消去し、使用残量カウント部１８に流体使用可能量として加算する全ビットデータ読み取り手段２２を設けたことにより、ＩＣカードの不正使用を、より厳格に抑制することができる。【選択図】図３
2009211353.tif 000002
【特許請求の範囲】
【請求項１】
流体が通過する流路と、前記流路内に配置され前記流路を通過する流体の流速を計測する計測部と、前記計測部によって計測された流体の流速に基づき流体の流量を演算する流量演算部と、前記流量演算部によって計測された流体の流量を積算する流量積算部と、流体の使用可能量を記憶した記憶媒体を挿入するＩＣカード挿入部と、前記ＩＣカード挿入部に挿入された記憶媒体から流体の使用可能量を読み取るＩＣカード読み取り部と、前記ＩＣカード読み取り部により記憶媒体から読み取ったデータから有効なＩＣカードかどうかを判定するＩＣカード認証部と、前記ＩＣカード内にも前記認証部と同様にＩＣカードが認証コードを認識しデータを出力するＩＣカードと、前記ＩＣカード認証部により記憶媒体の流体使用可能量として加算するとともに前記流量積算部により積算された使用量を流体使用可能量から減算する使用残量カウント部と、前記使用残量カウント部でカウントした流体使用可能量を表示する表示手段と、を備え、
前記ＩＣカード読み取り部により記憶媒体から読み取ったデータを全ビット読み取り終了後に記憶媒体の流体使用量を全ビット消去し、前記使用残量カウント部に流体使用可能量として加算する全ビットデータ読み取り手段を設けた流量計測装置。
【請求項２】
請求項１に記載の流量計測装置であって、
ＩＣカード読み取り部により記憶媒体から読み取ったデータをＩＣカード認証部により認証し、予め設定した記憶エリアのコード判別するファンクション制御部と、該ファンクション制御部により記憶エリアのコードを工場用設定カードと認識し制御する工場用設定カード判定手段を設けた流量計測装置。
【請求項３】
請求項１に記載の流量計測装置であって、
ＩＣカード読み取り部により記憶媒体から読み取ったデータをＩＣカード認証部により認証し、予め設定した記憶エリアのコード判別するファンクション制御部と、該ファンクション制御部により記憶エリアのコードを計測装置データコピーカードと認識し制御する計測装置データコピーカード判定手段を設けた流量計測装置。
【請求項４】
請求項１に記載の流量計測装置であって、
ＩＣカード読み取り部により記憶媒体から読み取ったデータを、ＩＣカード認証部により認証し予め設定した記憶エリアのコード判別するファンクション制御部と、該ファンクション制御部により記憶エリアのコードをカードデータコピーカードと認識し制御するカードデータコピーカード判定手段を設けた流量計測装置。
【請求項５】
請求項１に記載の流量計測装置であって、
ＩＣカード読み取り部により記憶媒体から読み取ったデータを、ＩＣカード認証部により認証し予め設定した記憶エリアのコード判別するファンクション制御部と、該ファンクション制御部により記憶エリアのコードを流量計測装置番号登録カードと認識し制御する流量計測装置番号登録カード判定手段を設けた流量計測装置。
【請求項６】
請求項１に記載の流量計測装置であって、ＩＣカード読み取り部により記憶媒体から読み取ったデータを、ＩＣカード認証部により認証し予め設定した記憶エリアのコード判別するファンクション制御部と、該ファンクション制御部により記憶エリアのコードを動作確認カードと認識し制御する動作確認カード判定手段を設けた流量計測装置。
【請求項７】
請求項１に記載の流量計測装置であって、
ＩＣカード読み取り部により記憶媒体から読み取ったデータを、ＩＣカード認証部により認証し予め設定した記憶エリアのコード判別するファンクション制御部と、該ファンクション制御部により記憶エリアのコードを学習値初期化カードと認識し制御する学習値初期
化カード判定手段を設けた流量計測装置。
【請求項８】
請求項１に記載の流量計測装置であって、
ＩＣカード読み取り部により記憶媒体から読み取ったデータを、ＩＣカード認証部により認証し予め設定した記憶エリアのコード判別するファンクション制御部と、該ファンクション制御部により記憶エリアのコードを使用残量初期化カードと認識し制御する使用残量初期化カード判定手段を設けた流量計測装置。
【発明の詳細な説明】
【技術分野】
【０００１】
本発明は、ガスなどの流体の流量を測定する流量計測装置に関し、特に、プリペイドシステムを採用した流量計測装置に関するものである。
【背景技術】
【０００２】
従来この種の流量計測装置としては、特許文献１や特許文献２に示すようなものがあり、特許文献１においては、利用可能流量を度数等に換算した値が書き込まれ、ユーザーが予め購入して利用でき、かつガス会社が必要な情報を入手できるガスの盗用防止用カードを利用した流量計測システムを確立したものであり、具体的構成として、相互に送受信可能な流量計測装置と微収料金決定装置が設けられている。そして、前記流量計測装置は流量を計測すると共に、流量を遮断しまた開放する流量調整手段を備え、前記徴収料金決定装置は記憶媒体を挿入する記憶媒体挿入手段、記憶媒体から度数を読み取り記憶する度数読み取り手段、前記流量計測装置から送信されてくる流量積算値に基づき前記度数読み取り手段に記憶されている度数を削減する度数削減手段及びあらかじめ定められた度数に達した場合には流量を遮断する信号を出力する流量遮断判定手段を備えている。
【０００３】
そして、特許文献１によれば、記憶媒体の残り度数に応じた流量が流れ、また新しい記憶媒体を挿入すれば新たに度数に対応した流量が確保されるというものである。
【０００４】
また、特許文献２においては、プロパンガスボンベから供給されるガス流量を計量し、積算値を算出するガスメータと、無線または有線を介して前記ガスメータの積算値情報を出力するＮＣＵと、前記ＮＣＵから出力された積算情報を受信するセンタ装置とを備え、前記センタ装置を管理するガス管理者が、前記積算値に基づいて前記ガスボンベの交換時期の管理を行うとともに、前払いされたガス料金の残高情報を記憶するプリペイドカードの該残高情報の読み出しを行うカードリーダユニットが前記ガスメータに接続され、該ガスメータは、前記カードリーダユニットに該プリペイドカードが装着された際、前記残高情報の残高が該プリペイドカードに残っている場合にのみ、前記ガスボンベからのガスの供給を可能とするとともに、ガスの供給量に基づいて前記残高情報を減算して更新し、該残高情報がゼロになった時点で強制的にガスの供給を遮断する手段を有するガス管理システムである。
【０００５】
そして、本特許文献２によれば、ガス販売会社等のガス管理者によってガス料金の支払い情報を記録したメモリカードを流通させるとともに、メータの検針値をガス管理者に送信させるようにすることにより、ガス管理者によるメータの検針及び集金業務を合理化してなくすことができ、大幅なコスト低減を図ることができるというものである。
【特許文献１】特開平９−１８００５３号公報
【特許文献２】特開２００２−０７４４９７号公報
【発明の開示】
【発明が解決しようとする課題】
【０００６】
従来のプリペイドシステムを採用した流量計測装置においては、ＩＣカード（プリペイドカード）を改造してガスを不正に使用する事態が後を絶たない。このような不正使用を防止するために、メンテナンス性および取替え性を損なわずに実現できる技術が求められている。
【０００７】
そこで本発明は、ＩＣカード読み取り部とＩＣカード内にＩＣ認証部を設け、ＩＣカードを挿入した時点で不正の有無を判断することで、流体計測装置のメンテナンス性および
取替え性を損なわずに、流体の使用料金を確実に回収可能とする流量計測装置を提供することを目的としている。
【課題を解決するための手段】
【０００８】
上記従来の課題を解決するために、本発明の流量計測装置は、流体が通過する流路と、流路内に配置され流路を通過する流体の流速を計測する計測部と、計測部によって計測された流体の流速に基づき流体の流量を演算する流量演算部と、流量演算部によって計測された流体の流量を積算する流量積算部と、流体の使用可能量を記憶した記憶媒体を挿入するＩＣカード挿入部と、ＩＣカード挿入部に挿入された記憶媒体から流体の使用可能量を読み取るＩＣカード読み取り部と、ＩＣカード読み取り部により記憶媒体から読み取ったデータから有効なＩＣカードかどうかを判定するＩＣカード認証部と、ＩＣカード内にも認証部と同様にＩＣカードが認証コードを認識しデータを出力するＩＣカードと、前記ＩＣカード認証部により記憶媒体の流体使用可能量として加算するとともに流量積算部により積算された使用量を流体使用可能量から減算する使用残量カウント部と、使用残量カウント部でカウントした流体使用可能量を表示する表示手段とを備え、ＩＣカード読み取り部により記憶媒体から読み取ったデータを、全ビット読み取り終了後に記憶媒体の流体使用量を全ビット消去し、使用残量カウント部に流体使用可能量として加算する全ビットデータ読み取り手段を設けたものである。
【０００９】
上記発明によれば、ＩＣカード読み取り部により記憶媒体から読み取ったデータから、有効なＩＣカードか、無効なＩＣカードかを判定するＩＣカード認証部により、ＩＣカードデータの認証を行い、流体使用可能量を加算することにより、不正使用を防止することが可能となる。さらに、ＩＣカードから読み取ったＩＣカードの全ビットデータが消去できたことを確認した後、使用残量カウント部に流体使用可能量として加算することにより、ＩＣカードの不正使用をより厳格に抑制することができる。
【発明の効果】
【００１０】
本発明の流量計測装置は、ＩＣカード読み取り部とＩＣカード内にＩＣ認証部を設け、ＩＣカードを挿入した時点で、ＩＣカード読み取り部により記憶媒体から読み取ったデータから、有効なＩＣカードか、無効なＩＣカードかを判定し、ＩＣカードデータの認証を行い、流体使用可能量を加算することにより不正使用を防止することが可能となり、さらに、ＩＣカードから読み取ったＩＣカードの全ビットデータが消去できたことを確認した後、使用残量カウント部に流体使用可能量として加算することにより、ＩＣカードの不正使用をより厳格に抑制することができ、流体計測装置のメンテナンス性および取替え性を損なわずに、流体の使用料金を確実に回収可能とする流量計測装置を提供することができる。
【発明を実施するための最良の形態】
【００１１】
第１の発明は、流体が通過する流路と、前記流路内に配置され前記流路を通過する流体の流速を計測する計測部と、前記計測部によって計測された流体の流速に基づき流体の流量を演算する流量演算部と、前記流量演算部によって計測された流体の流量を積算する流量積算部と、流体の使用可能量を記憶した記憶媒体を挿入するＩＣカード挿入部と、前記ＩＣカード挿入部に挿入された記憶媒体から流体の使用可能量を読み取るＩＣカード読み取り部と、前記ＩＣカード読み取り部により記憶媒体から読み取ったデータから有効なＩＣカードかどうかを判定するＩＣカード認証部と、前記ＩＣカード内にも前記認証部と同様にＩＣカードが認証コードを認識しデータを出力するＩＣカードと、前記ＩＣカード認証部により記憶媒体の流体使用可能量として加算するとともに前記流量積算部により積算された使用量を流体使用可能量から減算する使用残量カウント部と、前記使用残量カウント部でカウントした流体使用可能量を表示する表示手段とを備え、前記ＩＣカード読み取り部により記憶媒体から読み取ったデータを、全ビット読み取り終了後に記憶媒体の流体
使用量を全ビット消去し、前記使用残量カウント部に流体使用可能量として加算する全ビットデータ読み取り手段を設けたことを特徴とするものである。
【００１２】
そして、ＩＣカード読み取り部とＩＣカード内にＩＣ認証部を設け、ＩＣカードを挿入した時点で、ＩＣカード読み取り部により記憶媒体から読み取ったデータから、有効なＩＣカードか、無効なＩＣカードかを判定し、ＩＣカードデータの認証を行い、流体使用可能量を加算することにより不正使用を防止することが可能となる。さらに、ＩＣカードから読み取ったＩＣカードの全ビットデータが消去できたことを確認した後、使用残量カウント部に流体使用可能量として加算することにより、ＩＣカードの不正使用をより厳格に抑制することができる。
【００１３】
第２の発明は、特に、第１の発明において、ＩＣカード読み取り部により記憶媒体から読み取ったデータをＩＣカード認証部により認証し、予め設定した記憶エリアのコード判別するファンクション制御部と、該ファンクション制御部により記憶エリアのコードを工場用設定カードと認識し制御する工場用設定カード判定手段を設けたものである。
【００１４】
そして、ＩＣカードに予め設定したコードを、ファンクション制御部と工場設定カード判定手段により、工場用設定カードが挿入したことを認識することにより、流量計測装置の設定を工場出荷時の状態にすることができる。
【００１５】
第３の発明は、特に、第１の発明において、ＩＣカード読み取り部により記憶媒体から読み取ったデータをＩＣカード認証部により認証し、予め設定した記憶エリアのコード判別するファンクション制御部と、該ファンクション制御部により記憶エリアのコードを計測装置データコピーカードと認識し制御する計測装置データコピーカード判定手段を設けたものである。
【００１６】
そして、ＩＣカードに予め設定したコードを、ファンクション制御部と計測装置データコピーカード判定手段により、計測装置データコピーカードが挿入したことを認識すると、計測装置のデータをＩＣカードにコピーすることができる。
【００１７】
第４の発明は、特に、第１の発明において、ＩＣカード読み取り部により記憶媒体から読み取ったデータを、ＩＣカード認証部により認証し予め設定した記憶エリアのコード判別するファンクション制御部と、該ファンクション制御部により記憶エリアのコードをカードデータコピーカードと認識し制御するカードデータコピーカード判定手段を設けたものである。
【００１８】
そして、ＩＣカードに予め設定したコードを、ファンクション制御部とカードデータコピーカード判定手段により、カードデータコピーカードが挿入したことを認識するとＩＣカードのデータを計測装置のデータにコピーすることができる。
【００１９】
第５の発明は、特に、第１の発明において、ＩＣカード読み取り部により記憶媒体から読み取ったデータを、ＩＣカード認証部により認証し予め設定した記憶エリアのコード判別するファンクション制御部と、該ファンクション制御部により記憶エリアのコードを流量計測装置番号登録カードと認識し制御する流量計測装置番号登録カード判定手段を設けたものである。
【００２０】
そして、流量計測装置番号登録カード判定手段によりＩＣカードから読み取った流量計測装置番号が一致する場合に、使用残量カウント部に流体使用可能量として加算することによりＩＣカードの不正使用を抑制することができる。
【００２１】
第６の発明は、特に、第１の発明において、ＩＣカード読み取り部により記憶媒体から読み取ったデータを、ＩＣカード認証部により認証し予め設定した記憶エリアのコード判別するファンクション制御部と、該ファンクション制御部により記憶エリアのコードを動作確認カードと認識し制御する動作確認カード判定手段を設けたものである。
【００２２】
そして、ＩＣカードに予め設定したコードをファンクション制御部と動作確認カード判定手段により、動作確認カードが挿入したことを認識すると計測装置の所定動作をすることで計測装置の動作確認を容易にすることができる。
【００２３】
第７の発明は、特に、第１の発明において、ＩＣカード読み取り部により記憶媒体から読み取ったデータを、ＩＣカード認証部により認証し予め設定した記憶エリアのコード判別するファンクション制御部と、該ファンクション制御部により記憶エリアのコードを学習値初期化カードと認識し制御する学習値初期化カード判定手段を設けたものである。
【００２４】
そして、ＩＣカードに予め設定したコードをファンクション制御部と動作確認カード判定手段により、学習値初期化カードが挿入したことを認識すると計測装置の所定の学習値を初期化することで設置済みの計測装置に異常が生じた場合等のメンテナンス時に、正常な状態に戻して使用することができる。
【００２５】
第８の発明は、特に、第１の発明において、ＩＣカード読み取り部により記憶媒体から読み取ったデータを、ＩＣカード認証部により認証し予め設定した記憶エリアのコード判別するファンクション制御部と、該ファンクション制御部により記憶エリアのコードを使用残量初期化カードと認識し制御する使用残量初期化カード判定手段を設けたことを特徴とするものである。  
【００２６】
そして、ＩＣカードに予め設定したコードを、ファンクション制御部と動作確認カード判定手段により、使用残量初期化カードが挿入したことを認識すると計測装置の使用残量カウント部の流体使用可能量を初期化することで、入居者が転宅した場合等、新しい入居者が契約するまで流体を使用できなくすることができる。また、記憶媒体は、例えばユーザーが予め購入したプリペイドカードである。この場合、本発明は、広く利用されている流体のプリペイドシステムに適用されることとなる。
【００２７】
さらに本発明は、流体の流量を計測する流量計測装置を作動するプログラムであって、流体の使用可能量に対応した流体使用可能量を読み取る手順と、記憶媒体から読み取ったデータから有効なＩＣカードが有効かどうかを判定する認証手順と、記憶媒体から読み取ったデータの予め設定した記憶エリアのコード判別手順と、を流量計測装置に実行させるプログラムをも提供する。
【００２８】
以下、本発明の実施の形態について図面を参照して説明する。なお、本実施の形態によって本願発明が限定されるものではない。
【００２９】
（実施の形態１）
以下、図面を参照して本発明の実施の形態を説明する。図１は、本発明の流量計測装置の実施形態であるガスメータ装置及びガス料金プリペイドシステムの概要を示すブロック図である。ガスメータ装置１００は、ＩＣカード（プリペイドカード）３００を抜き差し可能なＩＣカード制御部２００とを含む。
【００３０】
ガスメータ装置１００は、図示したように各家庭のガス供給管の入り口部分に設置され、家庭内のガス器具において使用される被計測流体たるガス流量、使用量を計測するものである。ＩＣカード制御部２００は、ガスメータ装置１００と有線又は無線通信によって
接続され、ユーザーが予め購入したＩＣカード３００から流体使用可能量を読み取ると共に、ガスメータ装置１００からガスの使用量を読み取り、使用可能量をＩＣカード３００から差し引くものである。
【００３１】
図２、３に示されるようにガスメータ装置１００は、流路１０と、計測部１１と、流量演算部１２と、流量積算部１３と、弁駆動部１４とを備える。
【００３２】
流路１０は、各家庭のガス供給管に接続された流入路１と、家庭用のガス器具に接続された流出路２との間に設けられている。そして、流路１０の途中には、流路１０を流れるガスの速度（流速）を計測する計測部１１と、流路１０を開閉する開閉部を構成するバルブ２２とが接続されている。バルブ２２は、電磁弁やモータ弁等通常の弁装置によって構成されうる。
【００３３】
ＩＣカード制御部２００は、ＩＣカード挿入部１５と、ＩＣカード読み取り部１６と、ＩＣカード認証部１７と、１ビットデータ読み取り手段２１もしくは、全ビットデータ読み取り手段２２とを備える。
【００３４】
計測部１１は、流路１０を流れるガスの速度（流速）を計測するもので超音波センサ等を利用してガスの速度を計測する。流量演算部１２は、計測部１１により計測したガスの速度から流路１０を流れるガス流量の演算を行う。
【００３５】
流量積算部１３は、流量演算部１２により求めたガス流量から流路１０を流れたガス流量を積算するものである。弁駆動部１４は、流路１０内に設けたガス供給用バルブの開閉を駆動するものである。
【００３６】
ＩＣカード挿入部１５は、ＩＣカード３００が挿入されたことを検出するものである。ＩＣカード読み取り部１６は、ＩＣカード３００が挿入された後にＩＣカード挿入部１５がそれを検出した際にＩＣカード３００内に記憶しているデータを読み取る部分である。ＩＣカード認証部１７は、ＩＣカード読み取り部１６の特定エリアにある認証データが一致しているかどうかの認証を行う。
【００３７】
使用残量カウント部１８は、ＩＣカード認証部１７より認証を得たＩＣカード３００に記憶していた使用残量データから流量積算部１３により使用されるガス量の積算分を減算する。表示手段１９は、使用残量カウント部１８が使用残量データから流量積使用されるガス量の積算分を減算した値を表示する。
【００３８】
ファンクション制御部２０は、ＩＣカード３００の特定エリアにある認証部がＩＣカード認証部１７により認証し予め設定した記憶エリアのコード判別しＩＣカードの種類を区別するものである。
【００３９】
１ビットデータ読み取り手段２１は、ＩＣカード３００に記憶している使用残量データを読み取る際に１ビット１ｍ３とし１ビット毎にデータを読み取り、読み取る毎に記憶媒体の流体使用量を１ビット消去し、消去できたことを確認後、前記使用残量カウント部１８に流体使用可能量として加算するものである。
【００４０】
図３の全ビットデータ読み取り手段２２は、ＩＣカード３００に記憶している使用残量データを全ビット読み取った後に記憶媒体の流体使用量を全て消去したことを確認後、前記使用残量カウント部１８に流体使用可能量として加算するものである。
【００４１】
以上のように構成された流量計測装置について、以下その動作、作用を説明する。
【００４２】
まず、本実施の形態における第１の手段の動作について説明する。
【００４３】
ガス供給管１を通過する気体および流体は、計測部１１を通過し流出路２へと流れる。計測部１１は通過した気体および液体の流量を流量演算部１２により算出する。流量演算部１２により算出した流量は流量積算部１３により計測部１１を通過した流量を積算していく。
【００４４】
一方、ＩＣカード３００には、ユーザーが使用する気体および液体の使用可能量を予め購入し、カードの記憶媒体に使用可能量を記憶する。ＩＣカード３００をＩＣカード制御部２００に挿入すると、ＩＣカード挿入部１５によりＩＣカード３００の挿入が確認されると、ＩＣカード読み取り部１６によりＩＣカード３００内に記憶している認証データとガスメータ装置１００固有の認証データとが一致する否かをＩＣカード認証部１７により確認する。
【００４５】
また、ＩＣカード３００も前記認証部１７と同様にＩＣカードが認証コードを認識するとデータを出力する。ＩＣカード認証部１７による認証が正常に終了すると、使用残量カウント部１８はＩＣカード３００の記憶媒体に記憶していた使用可能量を読み取り、流量積算部１３からの気体および液体の使用量から使用残量カウント部１８の使用可能残量から減算していく。
【００４６】
表示手段１９は、使用残量カウント部１８の使用可能量を液晶ディスプレイ等に表示し利用者に知らしめるものである。このように、ＩＣカード読み取り部１６によりＩＣカード３００内の記憶媒体に記憶している認証データとガスメータ装置１００固有の認証データとが一致するか否かを読み取ったデータからＩＣカードが有効か、無効か、を判定するＩＣカード認証部１７によりＩＣカードデータの認証をおこない流体使用可能量を加算することにより、不正使用を防止することが可能である。
【００４７】
次に、第２の手段では、ＩＣカード３００をＩＣカード制御部２００に挿入すると、ＩＣカード挿入部１５によりＩＣカード３００の挿入を確認すると、ＩＣカード読み取り部１６によりＩＣカード３００内に記憶している認証データとガスメータ装置１００固有の認証データとが一致する否かをＩＣカード認証部１７により確認する。
【００４８】
ＩＣカード認証部１７による認証が正常に終了すると、１ビットデータ読み取り手段２１によりＩＣカード３００の記憶媒体に記憶してある使用可能量を１ビット毎に読み取りを行う。使用可能量を１ビット毎に読み取りを行う際、ＩＣカード３００の記憶媒体の使用可能量の１ビットを確認すると、使用残量カウント部１８に使用可能量として加算する前に、ＩＣカード３００の記憶媒体に記憶してある使用可能量の１ビットを消去する。
【００４９】
そして、ＩＣカード３００の記憶媒体に記憶してある使用可能量の１ビットが消去できていることを確認後に、使用残量カウント部１８に使用可能量として加算する。このように、１ビットデータ読み取り手段２１によりＩＣカード３００内の記憶媒体から読み取ったデータを１ビットずつ確認していくことにより、ＩＣカードデータの不正使用を最小限に防止することが可能である。
【００５０】
次に、第３の手段では、ＩＣカード３００をＩＣカード制御部２００に挿入すると、ＩＣカード挿入部１５によりＩＣカード３００の挿入を検出すると、ＩＣカード読み取り部１６によりＩＣカード３００内に記憶している認証データとガスメータ装置１００固有の認証データとが一致するか否かをＩＣカード認証部１７により確認する。
【００５１】
ＩＣカード認証部１７による認証が正常に終了すると、全ビットデータ読み取り手段２２によりＩＣカード３００の記憶媒体に記憶してある使用可能量を一度で全ビット読み取りを行う。使用可能量の全ビット読み取りを行う際、ＩＣカード３００の記憶媒体に記憶する使用可能量の全ビットを確認すると、使用残量カウント部１８に使用可能量として加算する前に、ＩＣカード３００の記憶媒体に記憶している使用可能量の全ビットを消去する、ＩＣカード３００の記憶媒体に記憶していた使用可能量の全ビットが消去できていることを確認後に、使用残量カウント部１８に使用可能量として加算する。
【００５２】
このように、全ビットデータ読み取り手段２２によりＩＣカード３００内の記憶媒体から読み取ったデータを完全に読み取り消去してから使用可能量を加算することによりＩＣカードデータの不正使用を最小限に防止することが可能である。なお、全ビットデータ読み取り手段２２によってデータを読み取る際には、使用可能量を暗号化やサムチェック等のチェックコードを付加しておくと、さらに不正使用を防止することができる。
【００５３】
次に、第４の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定し、記憶エリアのコードが工場設定カード判定手段２３によりＩＣカード３００が工場設定カードであると識別すると、流量計測装置を工場出荷時の状態にすることができる。
【００５４】
次に、第５の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定すると、記憶エリアのコードが計測装置データコピーカード判定手段２４によりＩＣカード３００が計測装置データコピーカードであると識別し、計測装置内の使用可能残量等の記憶情報をＩＣカード３００の記憶媒体にコピーする。
【００５５】
その後、計測装置データコピーカード判定手段２４は、ＩＣカード３００の予め設定した記憶エリアのコードに計測装置データコピーカードのコードからカードデータコピーカードにコードを書き換える。このように、ガスメータ等の計測装置を交換する際に交換前の計測装置の使用可能残量等の記憶情報を一旦、ＩＣカード３００にコピーし新たに設置する計測装置にＩＣカード３００を介してコピーできるようにすることで、計測装置を交換した際に交換前の計測装置内の使用残量等の記憶情報を継続して使用することが可能となる。
【００５６】
次に、第６の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定すると、記憶エリアのコードがカードデータコピーカード判定手段２５によりＩＣカード３００がカードデータコピーカードであると識別し、ＩＣカード３００の記憶媒体の使用可能残量等の記憶情報を計測装置にコピーすることで、ガスメータ等の計測装置を交換する際に交換前の計測装置の使用可能残量等の記憶情報を一旦、ＩＣカード３００にコピーし新たに設置する計測装置にＩＣカード３００を介してコピーできるようにすることで、計測装置の交換した際に交換前の計測装置の使用残量等の記憶情報を継続して使用することが可能となる。
【００５７】
次に、第７の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定すると、記憶エリアのコードが計測装置番号登録カード判定手段２５によりＩＣカード３００が計
測装置番号登録カードであると識別し、ＩＣカード３００の記憶媒体内の計測装置番号を計測装置内の記憶エリアに登録する。
【００５８】
この計測装置番号はＩＣカード３００と計測装置双方に記憶しておき、以降ＩＣカード３００により使用残量を加算する際にＩＣカード３００の計測装置番号と計測装置の番号が一致した場合にだけ計測装置の流体使用可能量を加算するようにする。
【００５９】
このように、ＩＣカード読み取り部１６によりＩＣカード３００内の記憶媒体に記憶している計測装置番号とガスメータ装置１００の計測装置番号が一致する場合に流体使用可能量を加算することにより、不正使用を防止することが可能である。
【００６０】
次に、第８の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定し、記憶エリアのコードが動作確認カード判定手段２７によりＩＣカード３００が動作確認カードであると識別し、弁駆動部１４や表示手段１９に特定の動作や表示をさせる手段を設けることで、計測装置の所定動作をすることで動作確認を容易にすることができる。
【００６１】
次に、第９の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定し、記憶エリアのコードが学習値初期化カード判定手段２８によりＩＣカード３００が学習値初期化カードであると識別すると、通常使用時において異常検出した場合やメンテナンス時に計測に必要か学習値を初期化する手段を設けることで、異常検出した場合でも現場で容易に正常動作に復帰させることができる。
【００６２】
次に、第１０の手段では、ＩＣカード読み取り部１６によりＩＣカード３００の記憶媒体から読み取ったデータをＩＣカード認証部１７により認証後に、予め設定した記憶エリアのコード判別をするファンクション制御部２０により記憶エリアのコードを判定し、記憶エリアのコードが使用残量初期化カード判定手段２９によりＩＣカード３００が使用残量初期化カードであると識別すると、使用残量初期化することで、入居者が転宅した場合等、新しい入居者が契約するまでの間、流体を使用できなくすることができる。
【産業上の利用可能性】
【００６３】
以上のように、本発明に係る流量計測装置は、ＩＣカード読み取り部により記憶媒体から読み取ったデータからＩＣカードが有効か、無効か、を判定し、ＩＣカードデータの認証を行い、使用残量を追加することで、メンテナンス性および取替え性を損なわずに、流体の使用料金を確実に回収可能なガスメータ等の流量計測装置に適用できる。
【図面の簡単な説明】
【００６４】
【図１】本発明の実施の形態における流量計測装置の概略図
【図２】本発明の実施の形態における流量計測装置のシステム構成図
【図３】本発明の他の実施の形態における流量計測装置のシステム構成図
【符号の説明】
【００６５】
１１  計測部
１２  流量演算部
１３  流量積算部
１４  弁駆動部
１５  ＩＣカード挿入部
１６  ＩＣカード読み取り部
１７  ＩＣカード認証部
１８  使用残量カウント部
１９  表示手段
２０  ファンクション制御部
２１  １ビットデータ読み取り手段
２２  全ビットデータ読み取り手段
【図１】
2009211353.tif 000003
【図２】
2009211353.tif 000004
【図３】
2009211353.tif 000005